(57)【特許請求の範囲】
【請求項１】
互いに平行に配置される受けロール及び絞りロールと、前記絞りロールと前記受けロールとの間の間隙を調整して、前記絞りロールと前記受けロールとの間で移送される布帛に対する加圧力を調整できるジャッキを有するパッダーを用い、該パッダーの布帛導入側に布帛厚さの測定器を配置し、前記パッダーの布帛導出側に水分率センサーを配置し、前記パッダー内に送り込まれる布帛の厚さ値と、前記パッダーから導出された布帛の含水分値を基にして、各種厚さの布帛に対する含水分率が一定となるように上記ジャッキを制御することを特徴とするパッダーにおけるパディングロールの加圧調整方法。
【発明の詳細な説明】
【０００１】
【発明の属する技術分野】
本発明は、連続的に移送される長尺布帛の全面の含水分量を均一にするために用いられるパッダーにおける一対のパディングロールの加圧調整方法であって、特に上記長尺布帛の布厚、布質とは無関係に全ての布帛に対して含水分率を一定とするに有効であるパッダーにおけるパディングロールの加圧調整方法に関するものである。
【０００２】
【従来の技術】
例えば、繊維業界において、工業的に生産する長尺布帛の前処理あるいは後処理時等においては、それら布帛の連続液処理（例えば洗浄、処理液含浸等）が必須であって、これら連続液処理時には、その長尺の処理の均一性を図るために長尺布帛に含浸された洗浄液又は処理液等を布帛の全面で均一の含水分となるように、又は布帛の全面で均一の含液量となるようにパディングする必要がある。
【０００３】
このように洗浄又は含液された長尺布帛の全面に含まれる含液量を一定に調整するための手段として従来ではパッダーが使用されており、含液された長尺布帛をそのパッダーに対設されているパディングロール間を連続的に通過させることにより、その長尺布帛に含浸されている含液を所定の含液量となるように搾液することが知られている。
【０００４】
またかかるパッダーを使用する含液量の搾液調整時には、長尺布帛全面に対しての含液量が均一となるように調整するために、従来では例えば図２で示すように含液された布帛１を互いに並設される絞りロール２と受けロール３との間を通過させて、それらロールによる接圧力で、布帛に付与されている液を適当量搾液して所定の含液率として次処理工程へ移送させるものであるが、並設される絞りロール２及び受けロール３との間では、それら両ロールの両側支持端を圧接移動させる構造となっているために、それらロールの両端部と、中央部とでの接圧力の誤差が生じたり、また上記の各ロールの全長が長くなることで生じるロールの撓み等により、双方ロールの全長に亘る接圧力を均一に保たせることが困難であり、これが原因で長尺布帛全面の含液量が均一となるように調整することが困難であった。
【０００５】
そこで、上記の従来例にあっては、絞りロール２と受けロール３を通過した布帛１の含液量（水分率）を水分センサー４により測定し、その測定値を基にして、ジャッキ５の駆動量を制御して布帛の含液率が幅方向に一定となるように絞りロール２と受けロール３との接圧力を制御しているが、一般的にはその長尺布帛１の布帛幅が広いために、布帛の全幅の含液量を知るには、その水分センサー４を布帛の幅方向に沿って複数個を配置使用することが要求される。
【０００６】
このように複数個の水分センサー４を用いた場合には、各水分センサー４の特性の相違により測定誤差を生じ、これが原因で布帛の幅方向の含液率を精度よく一定に調整させることができなかった。このために、１個のセンサーを移送されつつある布帛の布幅方向へ走査（トラバース）させながら、布帛の幅方向の複数個所における含液量の平均値を算出し、この算出値を基にして絞りロール２の加圧力を自動調整するパッダーにおけるパディングロールの加圧調整手段が既に知られている。
【０００７】
【発明が解決しようとする課題】
ところが、連続的に移送されてくる含水布帛の厚さ及び品質が一定である場合には、上記水分センサー４を用いて、その含水布帛の水分量（液分量）を比較的精度良く検出することが可能であり、これによって該布帛への水分率が一定となるようにパディングロールを制御することは比較的容易であるが、例えば上記の長尺布帛が、厚さの異る生地又は繊維質等の異る異質生地が反物単位で長さ方向に継ぎ合せられて長尺布帛となっている場合には、それら異質布帛毎に異る含水分率を検出しなしなければならず、特に異質生地の継ぎ目近傍では、水分量検知センサーの応答性能あるいはパッダーの動作性能等に起因して、それら異質生地に対しての水分率が一定となるようにパディングロールを迅速に駆動制御させることが困難であり、このために特に異質布帛の継ぎ目近傍において含水分率調整が不良の搾液処理布帛が生じやすいといった不具合がある。
【０００８】
本発明はかかる従来の事実に鑑みてなされたもので、連続的に移送されてくる含水（含液）布帛の長手方向に、例えば反物単位で異質生地が継ぎ合せられている長尺布帛の含水分率をパッダーを用いて調整するとき、移送されてくる生地の品質が変化しても、それら厚さの異る生地に対応させて全ての布帛の含水分率が一定となるように調整することができると共に、その含水分率調整が移送される生地の変化に追従して即座に行なわせしめることができるパッダーにおけるパディングロールの加圧調整方法の提供を目的とする。
【０００９】
【課題を解決するための手段】
上記目的を達成するために、本発明の請求項１では、互いに平行に配置される受けロール及び絞りロールと、絞りロールと受けロールとの間の間隙を調整して、絞りロールと受けロールとの間で移送される布帛に対する加圧力を調整できるジャッキを有するパッダーを用い、該パッダーの布帛導入側に布帛厚さの測定器を配置し、またパッダーの布帛導出側に水分率センサーを配置し、パッダー内に送り込まれる布帛の厚さ値と、パッダーから導出された布帛の含水分値を基にして、各種厚さの布帛に対する含水分率が一定となるように上記ジャッキを制御するパッダーの加圧調整方法であることを特徴としている。
【００１０】
【発明の実施の形態】
以下に本発明の実施の形態を図１に基いて詳細に説明する。
【００１１】
１１は基枠１２に固定されている軸受け１３により回転可能に支持されている受けロールであって、この受けロール１１に対して平行となるように絞りロール１４が配置されている。この絞りロール１４の両端は、左右一対の可動アーム１５の上端に設けられている軸受け１６により回転可能に軸支されているが、これらの可動アーム１５の下端には、ボールスクリュージャッキ１７に対応するトラベリングナット１８が軸支されている。また上記可動アーム１５の軸方向中間部は支軸１９を介して基枠１２に回動可能に軸支されている。
【００１２】
ボールスクリュージャッキ１７の構造は公知であるので、その詳細構造説明については省略する。
【００１３】
２０は、受けロール１１及び絞りロール１４により搾液された布帛２１の含液率を測定するための水分率センサーであって、この水分率センサー２０は布帛２１を挟んで対となっており、さらにこの水分率センサー２０は、走査機構（図示せず）により布帛２１の幅方向へ往復動（トラバース）させることができるようになっている。
【００１４】
２２は基枠１２外の布帛導入口近傍に設備されている布帛厚さの測定器（布帛圧測定器）であって、この布帛厚測定器２２により基枠１２内へ送り込まれようとする布帛２１の厚さ（嵩等）を測定することができるセンサーであり、例えば磁界の変化量で測定する電気的なもの、あるいはタッチセンサー等による機械的なものを適宜選択使用することができる。
【００１５】
２３は上記布帛厚測定器２２及び水分率センサー２０からの検知信号を受けて上記ボールスクリュージャッキ１７へ駆動信号を送出する演算器、２４は処理液含浸槽を示す。
【００１６】
上記水分率センサー２０は、公知である適宜の水分率測定器を選択使用することができ、そしてこの水分率センサー２０から得られた測定出力を基にして、上記ボールスクリュージャッキ１７のモータを駆動することができる。
【００１７】
以上が本実施形態であるが、次にその作用について述べると、処理液含浸槽２４により処理液が含液された布帛２１は、受けロール１１と絞りロール１４の間を通過することにより、それら受けロール１１と絞りロール１４による押圧力を受けて所望の搾液がなされて次の処理工程へ移送されるものである。そしてその布帛２１の含液率を調整するために、ボールスクリュージャッキ１７を動作し、これに関連してトラベルリングナット１８を介して可動アーム１５が支軸１９を支点として回動し、これにより、絞りロール１４と受けロール１１との接圧力が変化されて布帛の含液率を変えることができる。
【００１８】
このようなとき、受けロール１１と絞りロール１４との間に移送されてくる布帛２１に厚さの変化がある場合に水分率センサー２０からの出力のみでジャッキ１７を制御すると、例えば厚さが厚い布帛２１の場合、過絞りが生じ、また薄手布帛２１の場合には、絞り不足が生じて布帛２１の厚さ変化に起因して各種布帛毎の含水率が変化してしまうことになる。
【００１９】
そこで本実施の形態では、パッダーに導入される前の布帛２１の厚さ（嵩）等を布帛厚測定器２２により検出し、この布帛厚測定器２２による布帛検出信号と、上記水分率センサー２０による含水分検出信号を演算器２３によって処理して布帛２１の厚さに左右されることなく、全ての布帛２１に対して含水分率が一定となるようにジャッキ１７を駆動して含水（液）布帛２１に対するパディングロールの加圧力を自動調整することができる。
【００２０】
【発明の効果】
以上のように本発明のパッダーロールの加圧調整方法によれば、パッダー内に送り込まれる被処理布帛の布厚（嵩）等を事前に測定し、さらに水分率センサーによりそれぞれの布厚の布帛に対する含水分率が一定となるようにパッダーロールのニップ幅を自動制御することができるので、布帛の厚さ、薄さに左右されることなく、全ての厚さの布帛に対して、その含水分率を一定とすることができる。
【図面の簡単な説明】
【図１】本発明を実施するに使用されるパッダーの側面説明図。
【図２】従来のパッダーの側面説明図。
【符号の説明】
１１…受けロール
１２…基枠
１３…軸受け
１４…絞りロール
１５…可動アーム
１６…軸受け
１７…ジャッキ
１８…トラベリングナット
１９…支軸
２０…水分率センサー
２１…布帛
２２…布帛厚測定器
２３…演算器
２４…処理液含浸槽
【図２】
0004190088.tif 000002
【図１】
0004190088.tif 000003